(57)【要約】  本発明は、生きた家禽を収容するための容器への取り外し可能な接続のための家禽容器サイドパネルに関し、複数の開口が設けられた矩形のスクリーンと、横方向に突出した足と、該矩形のスクリーンに接続され静止した支持部及び連結位置と解放位置の間を移動可能な変位可能ロッキング要素を備えた１つの連結器とを有する。本発明は、家禽容器サイドパネルを受容するための矩形の開口を有する側壁を備えた生きた家禽を収容するための家禽容器、及びそのような家禽容器サイドパネルとそのような家禽容器との組立体も提供する。
2019533459.tif 000002
【特許請求の範囲】
【請求項１】
生きた家禽を収容するための家禽容器への取り外し可能な接続のための家禽容器サイドパネル（１，３０，５７，５８）であって、
複数の開口（３）が設けられた合成の実質的に矩形のスクリーン（２，２１）と、
前記実質的に矩形のスクリーン（２，２１）の周側（４，５，７，９，３８）の１つに位置する少なくとも１つの位置決め要素（１１，３９）と、
前記実質的に矩形のスクリーン（２，２１）の前記位置決め要素（１１，３９）を保持する周側（４，５，７，９，３８）と反対側の前記実質的に矩形のスクリーン（２，２１）の１つの周側（４，５，７，９，３８）に位置する少なくとも１つの連結器（１０，２０，３７）とを備え、
前記連結器（１０，２０，３７）は前記矩形のスクリーン（２，２１）に接続され静止した支持部（２２）と、連結位置と解放位置の間を移動可能な変位可能ロッキング要素（２４）とを備え、
前記変位可能ロッキング要素（２４）は前記合成の矩形のスクリーン（２，２１）の合成の一体化した一部であることを特徴とする家禽容器サイドパネル。
【請求項２】
前記家禽容器サイドパネル（１，３０，５７，５８）は、単一の成型部品であることを特徴とする請求項１に記載の家禽容器サイドパネル（１，３０，５７，５８）。
【請求項３】
前記変位可能ロッキング要素（２４）は、接続合成材料の弾力性を利用して前記矩形のスクリーン（２，２１）に弾性的に接続されていることを特徴とする請求項１又は２に記載の家禽容器サイドパネル（１，３０，５７，５８）。
【請求項４】
前記変位可能ロッキング要素（２４）は中央開口（２５）と前記実質的に矩形のスクリーン（２，２１）から突出した制御フラップ（２６，４３）とを有することを特徴とする請求項１〜３のいずれかに記載の家禽容器サイドパネル（１，３０，５７，５８）。
【請求項５】
前記家禽容器サイドパネル（１、３０、５７、５８）は、前記実質的に矩形のスクリーン（２，２１）の前記周側（４，５，７，９，３８）の１つから横方向に突出した少なくとも１つの足（８，４２）を備えることを特徴とする請求項１〜４のいずれかに記載の家禽容器サイドパネル（１，３０，５７，５８）。
【請求項６】
前記少なくとも１つの足（８，４２）は前記実質的に矩形のスクリーン（２，２１）と一体化されていることを特徴とする請求項５に記載の家禽容器サイドパネル（１，３０，５７，５８）。
【請求項７】
前記連結器（１０，２０，３７）が位置する周側（９）と反対側の前記実質的に矩形のスクリーン（２，２１）の周側（７，３８）に位置する前記位置決め要素（１１，３９）は、前記家禽容器サイドパネル（１，３０，５７，５８）の前記周側（９）の開口（２２）の縁のわきに設けられていることを特徴とする請求項１〜６のいずれかに記載の家禽容器サイドパネル（１，３０，５７，５８）。
【請求項８】
前記家禽容器サイドパネル（１，３０，５７，５８）は複数の一体化された連結器（１０，２０，３７）を備えることを特徴とする請求項１〜７のいずれかに記載の家禽容器サイドパネル（１，３０，５７，５８）。
【請求項９】
前記少なくとも１つの連結器（１０，２０，３７）は前記実質的に矩形のスクリーン（２，２１）と一体化されていることを特徴とする請求項１〜８のいずれかに記載の家禽容器サイドパネル（１，３０，５７，５８）。
【請求項１０】
前記実質的に矩形のスクリーン（２，２１）は少なくとも１つの補強リブ（６）を備えることを特徴とする請求項１〜９のいずれかに記載の家禽容器サイドパネル（１，３０，５７，５８）。
【請求項１１】
前記補強リブ（６）は前記実質的に矩形のスクリーン（２，２１）の互いに反対側の周側（４，５，７，９，３８）を接続することを特徴とする請求項１０に記載の家禽容器サイドパネル（１，３０，５７，５８）。
【請求項１２】
底壁（３４，５１）と、該底壁（３４）から突出した４つの側壁（３２，３３，５２，５３，５４，５５）とを備え、
前記側壁（３２，３３，５２，５３，５４，５５）の少なくとも１つには請求項１〜１１のいずれかに記載の家禽容器サイドパネル（１，３０，５７，５８）を受容するための実質的に矩形の開口（３５）が設けられ、
側壁（３２，３３，５２，５３，５４，５５）の前記開口（３５）の周縁には、少なくとも１つの反対側位置決め要素（４０）が設けられ、
前記開口（３５）の反対側位置決め要素（４０）を保持する周側（４１）と反対側の側壁（３２，３３，５２，５３，５４，５５）の前記開口（３５）の周縁には、少なくとも１つの突出した連結要素（２７，３６）が設けられていることを特徴とする生きた家禽を収容するための家禽容器（３１，５０）。
【請求項１３】
前記家禽容器は金属枠を備えることを特徴とする請求項１２に記載の家禽容器（３１，５０）。
【請求項１４】
前記実質的に矩形の開口（３５）の前記連結要素（２７，３６）が突出した周側と反対側の前記の開口（３５）の周側に、少なくとも１つの反対側位置決め要素（４０）が設けられていることを特徴とする請求項１２又は１３に記載の家禽容器。
【請求項１５】
請求項１〜１０のいずれかに記載の家禽容器サイドパネル（１，３０，５７，５８）が少なくとも１つ設けられていることを特徴とする請求項１１〜１４のいずれかに記載の生きた家禽を収容するための家禽容器（３１，５０）の組立体。
【発明の詳細な説明】
【技術分野】
【０００１】
本発明は、生きた家禽を収容するための容器への取り外し可能な接続のための家禽容器サイドパネル、請求項１の前文に係る生きた家禽を収容するための家禽容器、家禽容器、及びそのような家禽容器と少なくとも１つのそのような家禽容器サイドパネルとの組立体に関する。
【背景技術】
【０００２】
家禽の収容と輸送（例えば、養鶏場内、養鶏場から別の養鶏場へ、輸送車両上、養鶏場から食鳥処理場へ、又は食鳥処理場内）の間、生きた家禽は通常、家禽保持器に収容され又は家禽保持器に入れられ輸送される。このような家禽保持器は通常、およそ１ダース又は数ダースの複数の動物を収容するよう設計されている。これらの家禽保持器はパレット、枠箱、ケージ、又は容器とも称される。容易な物流のために、複数のそのような家禽保持器を共用支持構造体内において結合してもよく、その共用支持構造体は、家禽保持器をコンパクトに積み重ね、支持構造体を幾つかの保持器と一緒に単一ユニットとして移動するのを可能にする。支持構造体は、スチール枠から構成されてもよく、そのスチール枠内には複数の家禽保持器が積み重ねられて（多層に）収容され、該スチール枠からこれら家禽保持器を全部又は部分的に取り除くことができる。従って、該支持構造体は例えば、整理ダンスの引き出しと同様に、これら家禽保持器がスライドして選択可能に支持構造体内に完全に入ったり出たりできるように具現化されてもよい。別の可能性は、支持構造体が個々に制御可能な閉じる手段が設けられた複数の区画を備えるように家禽保持器を支持構造体と一体化することである。
【０００３】
これに替えて、複数の個々の家禽容器を使用して互いに積み重ねて所望の高さの家禽容器組立体に組み立ててもよい。実際には、例えば４〜６個の積み重ねられた家禽容器の積み重ねを有する家禽容器組立体を使用する場合がある。家禽容器組立体の生きた家禽を収容する各個々の家禽容器は、家禽容器組立体の家禽容器蓋を有する最上部の家禽容器を除いて、その容器の上に置かれた家禽容器によって覆われる。
【０００４】
家禽保持器又は家禽容器はしばしば再利用され、様々な処理ステップを経る。これらの処理ステップの間、家禽容器はしばしば粗雑に取り扱われ、家禽容器との様々な物理的接触を引き起こす。また、家禽容器の使用は家禽容器への化学的負荷も引き起こす場合がある（例えば、家禽排泄物及び／又は使用される洗浄剤による）。
【０００５】
米国特許出願２００９／０２８８６１３は、前面パネル、後面パネル、２つの側面パネル、底面パネル、及び上面パネルを含む複数の連結パネルから組み立てられた折り畳めるペットケージを開示している。折り畳めるペットケージの後面パネルは枠に回動可能に取り付けられた扉を有する。
【発明の概要】
【０００６】
本発明の目的は、頑丈で衛生的であるが、また安くて損傷及び／又は摩耗した場合に修理が容易な家禽容器を提供することである。本発明の更なる目的は、限られた費用だけで要望に合わせる又は特定の条件に適合させるのが容易な家禽容器を提供することである。
【課題を解決するための手段】
【０００７】
本発明は、この目的のために、請求項１に係る生きた家禽を収容するための家禽容器への取り外し可能な接続のための家禽容器サイドパネルを提供する。取り外し可能な家禽容器サイドパネルは、サイドパネルが損傷した場合にサイドパネルの交換を可能にする。家禽容器のサイドパネルは、比較的大きな表面積を有しているので摩耗及び損傷し易い。例えば、家禽容器を取り扱うフォークリフトのフォークは、取り扱い操作の精度が低い時、サイドパネルを損傷する場合がある。また、サイドパネルはより少ない構造強度を家禽容器に提供すればよいので、パネルは比較的簡単で安く、例えば単一の成型部品として、家禽容器の基本構造（例えば枠）より軽い材料からできていてもよい。パネルは、変位可能ロッキング要素を含めて、例えば単一の製造ステップで単一の合成材料から射出成形されてよい。しかし、本発明は、合成変位可能ロッキング要素を成型時取り付けとして含めることも可能にする。この技術（ロッキング要素の成型時取り付け）は、ロッキング要素の合成材料が矩形のスクリーンの合成材料と別の合成材料であるのが好ましい場合に利用することができる。従って、家禽容器サイドパネルは家禽容器の基本構造より軽い構造であってもよいが、これは合成の一体化した変位可能ロッキング要素を含むサイドパネルを家禽容器の弱く損傷し易い部分にする。本発明に係る取り外し可能な家禽容器サイドパネルの追加の利点は、パネルを容易に要望に合わせられる点である。例えば、パネルの色及び／又は印刷を変更してもよい。また、パネルを特定の使用条件に適合させることができる、例えば冷たい条件（冷たい場所及び／又は冷たい季節）において換気孔が少ない家禽サイドパネル、及び暖かい条件（暖かい場所及び／又は暖かい季節）において換気孔が多い家禽サイドパネル。また、極端な条件において他のやり方に加えて、より重い家禽容器サイドパネルを選択することもできる。家禽容器サイドパネル全体（変位可能ロッキング要素を含む）を単一の合成材料から作る選択肢の場合、パネル部品の熱膨張又は収縮量の違いによる応力は発生しない。また、本発明に係る容器サイドパネルは清掃が容易である（衛生的）。
【０００８】
前記矩形のスクリーンへの前記変位可能ロッキング要素の弾性的接続を提供するために、接続合成材料の弾力性を利用してもよい。単一の合成材料のみを使用する場合、この弾力性は、変位可能ロッキング要素と矩形のスクリーンとの間の材料が好ましくは変位可能ロッキング要素及び矩形のスクリーンの材料より薄い構造によって実現されてもよい。
【０００９】
前記合成変位可能ロッキング要素は、特定の実施形態では、中央開口と家禽容器サイドパネルから突出した制御フラップとを有する。中央開口は外部のペンのような突出ロッキング要素を受容するために有用である場合がある。実質的に矩形のスクリーンから突出した制御フラップの少なくとも一部は制御フラップへの容易なアクセスを可能にし、従って、作業者のロック及びロック解除操作を容易にする。
【００１０】
これらの利点は、本発明によれば家禽容器の内側の通気を提供する開口を備える実質的に矩形のスクリーンを有する取り外し可能な家禽容器サイドパネルで実現される。矩形のスクリーンの取り外し可能な連結のための要素は簡単な構造である。前記実質的に矩形のスクリーンの周側の１つに位置する少なくとも１つの位置決め要素は、矩形のスクリーンの周側の１つにある単純な開口又は突出した要素であってもよい。そしてまた、矩形のスクリーンの連結は生成が容易で、また使用が非常に容易であり、連結された時、家禽容器からのスクリーンの無制御な解放の可能性がない。その構造は、取り外し可能な家禽容器サイドパネルの一意な位置決めを可能にし、家禽容器サイドパネルを家禽容器と不適正に接続するのを不可能にするものであってもよい。従って、連結及び取り外しにはロッキング要素の単純な変位だけが必要であり、取り外し可能な家禽容器サイドパネルの使用は、「誰にでもできる」可能性がある。
【００１１】
前記変位可能ロッキング要素は、休止状態で連結位置にあってもよい。この「休止状態」は外部からの（解放）圧力が変位可能ロッキング要素に働いていない状態である。連結位置から解放位置へロッキング要素を変位させるために、例えば支持部からロッキング要素を見た方向と異なる方向に外部圧力を加えてもよい。変位可能ロッキング要素は矩形のスクリーンに実質的に平行な方向に変位可能であってよい。ロッキング要素のこのような可動性は、家禽容器サイドパネルの望ましくない解放に対する追加の安全対策を提供する。そして、構造の更なる単純化のために、変位可能ロッキング要素は支持部に弾性的に接続されてよい。また、１つ以上の抵抗要素、例えば、隆起、こぶ、面取りした曲面、及び／又は面取りした斜面を変位可能ロッキング要素の移動路に設けるのも１つの選択肢である。例えば、ロック又は解放時、変位可能ロッキング要素の１つ以上の抵抗要素とのスクリーン接触は意図した動作が実現されたことを示す可能性がある。家禽容器サイドスクリーンの単純で適正な配置又は取り外しにおいて作業者を援助するために、「フィードバック」（例えば、触覚バリア又は知覚フィードバック）が、例えば完全な解除又は完全なロック動作が実現されたことを示すために提供される。
【００１２】
家禽容器の開口の周縁への家禽容器サイドパネルの安定した載置のために、家禽容器サイドパネルは、実質的に矩形のスクリーンの周側の１つから横方向に突出した少なくとも１つの足を備えてもよい。更に安定した接触のために、家禽容器サイドパネルは、望まれるように矩形のスクリーンの周側の１つだけに位置する、又は矩形のスクリーンの周側の２つ以上から突出した複数のそのような足（例えば脚）を備えてもよい。１つ以上の突出した足は、汚染物質の存在に影響され難い家禽容器サイドパネルと家禽容器の開口の周縁とを接触させる。家禽容器サイドパネルの限定された製造コストのために、少なくとも１つの足は、実質的に矩形のスクリーンの一体化された一部であってもよい。
【００１３】
連結器が位置する周側と反対側の実質的に矩形のスクリーンの周側に位置する位置決め要素は、家禽容器サイドパネルの周側にある開口の縁のわきに設けられてもよい。このような位置決め要素の構造は設けるのに簡単で、家禽容器の開口内の家禽容器サイド要素の位置決め中で連結が作動される前における容易な使用も可能にする。
【００１４】
このような位置決め要素開口縁は、それが受容する、家禽容器の開口の周縁から突出した位置決め要素より広いことが好ましい。これは位置決め及び取り外し中のパネルの容易な取り扱いを可能にする。また、より堅牢で安定な連結を提供するために、家禽容器サイドパネルは複数の連結器を備えてもよい。２つの連結器の場合、安定した連結は容易な取り扱いと組み合わされる（２つの連結器は一人の作業者の両手で操作されてもよいので）。使用する部品の数を最小化して費用を最小化するために、少なくとも１つの連結器を実質的に矩形のスクリーンと一体化してもよい。家禽容器サイドパネルが合成材料からできている場合、簡単な構造は、例えば（射出）成形により可能である。このような材料は耐久性があるだけでなく、加工が容易でもあり、高価でなく、軽い可能性がある（１つ以上の本発明に係る家禽容器サイドパネルを有する家禽容器の重量を制限する）。
【００１５】
スクリーン構造の更なる強度のために、少なくとも１つの補強リブが設けられてもよい、例えば実質的に矩形のスクリーンの互いに反対側の周側を接続する補強リブ。
【００１６】
本発明は、底壁と、該底壁から突出した４つの側壁とを備えた、生きた家禽を収容するための家禽容器も提供する。前記側壁の少なくとも１つには本発明に係る家禽容器サイドパネルを受容するための実質的に矩形の開口が設けられ、側壁の前記開口の周縁には、少なくとも１つの反対側位置決め要素が設けられ、前記開口の反対側位置決め要素を保持する周側と反対側の側壁の前記開口の周縁には、少なくとも１つの突出した連結要素が設けられている。本発明に係る家禽容器サイドパネルと協働するために、家禽容器には少なくとも１つの整合する反対側位置決め要素と少なくとも１つの整合する突出した連結要素とが設けられる。また、家禽容器の開口の寸法と家禽容器サイドパネルの寸法も整合しなければならない。通常、家禽容器への負荷はかなりでありうるので、家禽容器は金属枠を備えてもよい。使用する家禽容器サイドパネルのタイプに依って、家禽容器は１つの開口に、例えばペンとして具現化される複数の突出した連結要素も備えてもよい。また、本発明に係る家禽容器には、複数の家禽容器サイドパネルを受容するための複数の開口も設けられてもよい。これらのパネルは同一の寸法であってもよいが、可変の寸法の開口（及び家禽容器サイドパネル）を有することも可能である。
【００１７】
家禽容器には、前記側壁の１つの一部と、前記底壁の該側壁の一部が接続された一部とにより形成された扉が設けられてもよい。前記扉は、前記家禽容器の残りの部分に可動に接続され、前記扉が前記家禽容器の残りの部分に嵌った状態と前記扉が前記側壁と前記底壁とに家禽の通路用の開口を残した状態の間で変位可能である。扉は、側壁の中央に位置してもよく、この扉の側壁部には、本発明に係る家禽容器サイドパネルを受容するための１つ以上の開口が設けられてもよい。
【００１８】
前記実質的に矩形の開口の前記連結要素が突出した周側と反対側の前記開口の周側に、少なくとも１つの突出した反対側位置決め要素が、位置決め要素として１つの周側の開口の縁を有する家禽容器サイドパネルの安定で堅牢でしかし単純な位置決めを支援するために、設けられてもよい。同様に、家禽容器サイドパネルの１つの周側に複数の開口が位置決め要素として設けられている場合、複数のそのような反対側位置決め要素も設けられてよい。本発明に係る家禽容器サイドパネルに関して既に前述したように、家禽容器サイドパネルの周縁の開口の周縁は、家禽容器の開口の周縁に接続された突出した反対側位置決め要素より広くてよい。これは位置決め及び取り外し中のパネルの容易な取り扱いを可能にする。位置決め要素／反対側位置決め要素構造は逆にしてもよい。従って、家禽容器の開口の周縁に設けられた１つ以上の開口の周縁と協働する１つ以上の突出した位置決め要素を備える家禽容器サイドパネルの周縁が具現化される。
【００１９】
最後に、本発明は、１つ以上の本発明に係る家禽容器サイドパネルが設けられた、本発明に係る生きた家禽を収容するための家禽容器の組立体も提供する。
【図面の簡単な説明】
【００２０】
以下に、下記の図に示された非限定的で典型的な実施形態に基づいて、本発明を更に説明する。
【００２１】
【図１】本発明に係る家禽容器サイドパネルの概略斜視図を示す。
【図２Ａ】休止位置にある本発明に係る家禽容器サイドパネルの一部としての連結器の概略斜視図を示す。
【図２Ｂ】連結位置にある本発明に係る家禽容器サイドパネルの一部としての連結器の概略斜視図を示す。
【図２Ｃ】解放位置にある本発明に係る家禽容器サイドパネルの一部としての連結器の概略斜視図を示す。
【図３Ａ】家禽容器の一部と家禽容器の開口に配置される家禽容器サイドパネルの斜視図を示す。
【図３Ｂ】連結後の図３Ａに示すような家禽容器の一部と家禽容器サイドパネルの斜視図を示す。
【図４】複数の本発明に係る家禽容器サイドパネルを備える生きた家禽を収容するための家禽容器を示す。
【発明を実施するための形態】
【００２２】
図１は、家禽容器に収容される家禽の通気のための複数の開口３を備える実質的に矩形のスクリーン２を有する家禽容器サイドパネル１を示す。サイドパネル１の左周側４と右周側５とは補強リブ６を介して接続され、追加の構造上の強度を家禽容器サイドパネル１に与える。家禽容器サイドパネル１の下周側７には、後で例示されるように家禽容器枠の開口の周縁の一部の上に載る４つの足８が突出している。突出した足８を有する下周側７と反対側の家禽容器サイドパネル１の上周側９には、２つの連結器１０が位置している。この連結器１０は図２Ａ〜図２Ｃにより詳細に例示される。サイドパネル１には、実質的に矩形のスクリーン２の支持部を保持する下周側７に、家禽容器サイドパネル１を連結前に位置決めし、サイドパネル１の家禽容器への連結後に家禽容器との堅牢な接続を提供するための２つの位置決め開口１１も設けられている。
【００２３】
図２Ａには、連結器２０が非連結状態で例示されている。連結器２０は家禽容器サイドパネル２１の一部であり、家禽容器サイドパネル２１の周側２３に接続され静止している支持部２２を有する。変位可能なロッキング要素２４は突出した連結要素（図２Ａには不図示）を収容するための中央開口２５を有する。変位可能なロッキング要素２４は作業者がアクセスできるように家禽容器サイドパネル２１から突出した制御フラップ２６を有する。
【００２４】
図２Ｂには、図２Ａの連結器２０が、再び休止位置で、しかし突出した連結要素２７を保持しているのが示されている。突出した連結要素２７を図２Ｂに例示するような連結位置にするために、変位可能な連結要素２４は、図２Ｃに例示するように変位されなければならない。連結要素２４は力（矢印Ｐを参照）を制御フラップ２６に加えることで部分的に動かされる。連結要素２４の変位は、中央開口２５を下げ、従って、家禽容器の開口の周縁に接続された突出した連結要素２７（ペン）へのアクセスを許す。力Ｐが取り除かれた後、弾力のある連結要素２４は解放位置（図２Ｃ）から連結位置（図２Ｂ）へ戻る。力Ｐの方向は家禽容器サイドパネル２１にほぼ平行である。
【００２５】
図３Ａにおいて、家禽容器３１内に配置される前の家禽容器サイドパネル３０が示されており、家禽容器３１のうち２つの側壁３２、３３と底壁３４だけが示されている。１つの側壁３２には、矩形の開口３５が家禽容器サイドパネル３０を受容するために設けられている。矩形の開口３５の周縁の上部には、家禽容器サイドパネル３０の一部としての連結器３７と協働するに適した連結要素（ペン）３６が見えている。サイドパネル３０を矩形の開口３５内に配置するために、サイドパネル３０の上部は、開口３５を通って家禽容器３１内に入れられる。家禽容器サイドパネル３０の下周側３８には、位置決め開口３９が設けられ、その縁が、家禽容器３１の矩形の開口３５の下周側４１から突出した位置決めペン４０（反対側位置決め要素）の上に置かれる。続いて、家禽容器サイドパネル３０の下周側３８の足４２が、家禽容器３１の矩形の開口３５の下周側４１上に置かれる。次に、家禽容器サイドパネル３０の上側が外側へ動かされる（外側へ振ることで）。そうすることで、サイドパネル３０の連結器３７は家禽容器３１の連結要素３６と接触し、サイドパネル３０の家禽容器３１への取り付けを完成するために、制御フラップ４３は家禽容器３１の連結要素３６がサイドパネル３０の連結器３７内に入るように動かされなければならない（連結について図２Ａ〜図２Ｃ内の詳細を参照）。連結及び取り外し前の家禽容器サイドパネル３０の内側への（即ち、家禽容器３１内）位置決めの利点は、家禽容器サイドパネル３０の取り替え中に生きた家禽の無制御な立ち去りを防ぐ場合がある点である。
【００２６】
図３Ｂにおいて、家禽容器３１内に配置された後の家禽容器サイドパネル３０が示されている。サイドパネル３０の連結器３７は家禽容器３１の連結要素３６を保持し、家禽容器サイドパネル３０の下周側３８において、位置決めペン４０が家禽容器開口３５の下周側４１から家禽容器サイドパネル３０の下周側３８の位置決め開口３９内に突出しているのが見える。また、位置決め開口３９の縁が位置決めペン４０の直径より広く緩やかな嵌合であることが分かる。
【００２７】
図４は、底壁５１と、底壁５１から突出した４つの側壁５２〜５５とを備えた生きた家禽を収容するための家禽容器５０を示す。扉５６が１つの側壁５５の一部と底壁５１の一部とにより形成されている。扉５６は、扉５６が家禽容器５０の残りの部分に嵌った状態（図４に示す）と扉５６が側壁５５と底壁５１とに家禽の通路用の開口を残した状態（不図示）の間で変位可能である。家禽容器５０の側壁５２〜５５には、様々なサイズの家禽容器サイドパネル５７，５８が取り付けられている。
【図１】
2019533459.tif 000003
【図２Ａ】
2019533459.tif 000004
【図２Ｂ】
2019533459.tif 000005
【図２Ｃ】
2019533459.tif 000006
【図３Ａ】
2019533459.tif 000007
【図３Ｂ】
2019533459.tif 000008
【図４】
2019533459.tif 000009
【国際調査報告】
2019533459.tif 000010
2019533459.tif 000011
2019533459.tif 000012